(57)【特許請求の範囲】
【請求項１】
ＡＬＣパネルが上下層に建て込まれたＡＬＣ壁パネル（４）の梁（１２）上面に固定されたスプライスプレート（７）と、該スプライスプレート（７）によって中断されて二分して前記梁（１２）上面に固定された定規アングル（３）と、該定規アングル（３）の起立片（３ａ）の各端部同士を連結する連結部材（１）と、該連結部材（１）に固定されているとともに上層パネル（４ａ）の下部に埋設されたアンカー（１３）に係止されているパネル下部取付け部材（５）と、該連結部材（１）に固定されて上層パネル（４ａ）を支持する自重受け部材（９）と、一端部が下層パネル（４ａ）の上部に埋設されたアンカー（１３）に係止されているとともに他端部が前記自重受け部材（９）に貫通する板状部材（８）とから成るＡＬＣパネルの取付構造において、
前記連結部材（１）は山形鋼（２）で構成されているとともに該山形鋼（２）と前記定規アングル（３）とが側面コの字型を形成するようにそれらの各端部同士が連結されており、さらに前記パネル下部取付け部材（５）は前記上層パネル（４ａ）に当接する垂直板（５ａ）と前記山形鋼（２）に固定される水平板（５ｂ）とを備えているＡＬＣパネルの取付構造。
【請求項２】
前記パネル下部取付け部材（５）はＬ字型の取付け金具である請求項１記載のＡＬＣパネルの取付構造。
【請求項３】
前記山形鋼（２）の端部と前記定規アングル（３）の端部との連結部に、補強鋼板（１１）が溶接固定されている請求項１または２記載のＡＬＣパネルの取付構造。
【請求項４】
前記補強鋼板（１１）は、室内側から溶接固定されている請求項３記載のＡＬＣパネルの取付構造。
【請求項５】
前記山形鋼（２）と前記定規アングル（３）とは、前記山形鋼（２）の垂下片（２ｂ）の端部が前記定規アングル（３）の前記起立片（３ａ）の室内側面に重なるように溶接固定されている請求項１または２記載のＡＬＣパネルの取付構造。
【発明の詳細な説明】
【０００１】
【発明の属する技術分野】
本発明は、梁上のスプライスプレートによって定規アングルが中断された位置におけるＡＬＣパネルの取付構造に関する。
【０００２】
【従来の技術】
ＡＬＣ壁パネル４の取付構造においては、ＡＬＣパネル（以下パネルという。）の層間変形追従性を有するようにロッキングの構造を採用することが多い。その構造の一例として、図１０に示すように、アンカー１３が埋設されたＡＬＣ壁パネル４は、稲妻プレート２１、板状部材８および自重受け部材９の３つに分かれた部材および定規アングル３を用いて梁１２に取付けられる構造がある。この取付構造は、アンカー１３の埋設位置や上層パネル４ａと下層パネル４ｂの取付け位置にずれがあっても容易にＡＬＣ壁パネル４を梁１２に固定することが可能であるという長所を有している。
すなわち稲妻プレート２１あるいは自重受け部材９の相対的な取付け位置を調整したり、自重受け部材９とそれを挿入される板状部材８との隙間ｄのなかで板状部材８を幅方向に移動させて固定したりして、パネル取付時にアンカー１３位置と前記３つの部材（８、９、２１）との位置合わせが容易である。
【０００３】
一方、建築物の梁１２の継手部は、図８および図９に示すように、梁１２上に固定されるスプライスプレート７によって連結される構造になっている。そのため、その位置においては、図１０に示すようなＡＬＣ壁パネル４を梁１２に取付けるための長尺の一本の定規アングル３は、スプライスプレート７と干渉して梁１２上に取付けることができない。その問題を解消するため、従来は、図８および図９に示すように、スプライスプレート７により中断される定規アングル３の起立片３ａの端部間に、連結部材１としてフラットバー２０を連結部１０の突き合わせ溶接によって固定し、そのフラットバー２０に稲妻プレート２１、板状部材８および自重受け部材９の３つの部材を用いて、ＡＬＣ壁パネル４を梁１２に固定していた。
【０００４】
【発明が解決しようとする課題】
しかし、図８および図９に示すように、フラットバー２０を定規アングル３の連結部材１とした場合、ＡＬＣ壁パネル４の取付け強度が低いという問題点がある。すなわち自重受け部材９へのＡＬＣ壁パネル４の荷重が、直接固定されているフラットバー２０にそのままかかるため、フラットバー２０が撓んでしまったり、またＡＬＣ壁パネル４の取付け強度不足になったりしていた。
そこで、本発明の目的はパネルの層間変形追従性の優れたＡＬＣ壁パネル４の取付構造およびその際のアンカー位置とＡＬＣ壁パネル４の取付け部材との位置合わせの容易性を維持したままで、その梁の継手部における上記問題点を解決したＡＬＣパネルの取付構造を提供することにある。
【０００５】
【課題を解決するための手段】
本発明は、前記課題を解決するために
ＡＬＣパネルが上下層に建て込まれたＡＬＣ壁パネルの梁上面に固定されたスプライスプレートと、該スプライスプレートによって中断されて二分して前記梁上面に固定された定規アングルと、該定規アングルの起立片の各端部同士を連結する連結部材と、該連結部材に固定されているとともに上層パネルの下部に埋設されたアンカーに係止されているパネル下部取付け部材と、該連結部材に固定されて上層パネルを支持する自重受け部材と、一端部が下層パネルの上部に埋設されたアンカーに係止されているとともに他端部が前記自重受け部材に貫通する板状部材とから成るＡＬＣパネルの取付構造において、
前記連結部材は山形鋼で構成されているとともに該山形鋼と前記定規アングルとが側面コの字型を形成するようにそれらの各端部同士が連結されており、さらに前記パネル下部取付け部材は前記上層パネルに当接する垂直板と前記山形鋼に固定される水平板とを備えているＡＬＣパネルの取付構造とした。
【０００６】
以下に本発明の作用を説明する。
スプライスプレートによって中断されて二分して梁上面に固定された定規アングルの起立片の各端部同士を連結する連結部材が山形鋼で構成されているとともに、山形鋼と定規アングルとが側面コの字型になるようにそれらの各端部同士が連結されている。このように連結部材として、Ｌ字型の山形鋼が用いられているため、自重受け部材にかかるＡＬＣ壁パネルの荷重が山形鋼にそのままかかっても、その連結部材は撓むことがなくＡＬＣ壁パネルの十分な取付け強度が得られる。
【０００７】
また山形鋼の水平片が上面となるような構造であるとともに、パネル下部取付け部材は上層パネルに当接する垂直板と山形鋼に固定される水平板とを備えているため、パネルのアンカーに対してパネル下部取付け部材をその垂直板を介してパネル下部に容易に位置決めおよび取付けでき、また山形鋼の水平片の上面にもパネル下部取付け部材の水平板を配置し下向き溶接によって容易に固定することができる。
【０００８】
さらに、壁パネルは３つの部材、すなわち山形鋼に固定されているとともに上層パネルの下部に埋設されたアンカーに係止されているパネル下部取付け部材と、山形鋼に固定されて上層パネルを支持する自重受け部材と、一端部が下層パネルの上部に埋設されたアンカーに係止されているとともに他端部が自重受け部材に貫通する板状部材とによりＡＬＣパネルが梁に固定されているため、パネルのアンカー位置と上記３つの部材との位置合わせが容易となる。
【０００９】
【発明の実施の形態】
以下、本発明の実施形態を図１〜図７に基づいて説明する。なお、符号は従来例と同一のものは同一符号を付した。
図１および図２に示すように、２本の梁１２の継手部において、壁パネル４の上層パネル４ａおよび下層パネル４ｂの各１枚は、それぞれのパネル上下端部でかつ幅方向の中心部が各パネルに埋設されているアンカー１３に取付け金具を介して梁１２などの建物躯体に取り付けられて、ロッキングによるパネルの層間変形追従性を有する構造になっている。
【００１０】
また、梁１２の継手部上面には、スプライスプレート７が複数のボルトによって固定されているとともに、そのスプライスプレート７によって２分された定規アングル３の端部同士が山形鋼２によって連結されている。その山形鋼２は定規アングル３に対して逆向きになっていて、図２に示すように側面から見てコの字型になるように連結されており、この山形鋼２の垂下片２ｂに取付け金具が溶接固定されている。
【００１１】
さらに取付け金具は、山形鋼２の水平片２ａに溶接固定されているとともに上層パネル４ａをその下部に埋設されたアンカー１３とボルトなどの係止部材６を介して係止するＬ字型のパネル下部取付け部材５と、山形鋼２の垂下片２ｂに溶接固定されて上層パネル４ａを受ける自重受け部材９と、一端部が下層パネル４ｂの上部に埋設されたアンカー１３とボルトなどによって係止し他端部が自重受け部材９に貫通する板状部材８とから構成されている。なお、本実施形態においても自重受け部材９と板状部材８との間は、図９、図１０と同じ間隔ｄ（図示せず。）が空くように構成されている。
【００１２】
本発明においてはパネル下部取付け部材５がＬ字型の取付け金具であると、構造も簡単であるととももにアンカー１３との位置合わせも容易となり、さらに山形鋼２との溶接が作業性の良い下向き溶接となるため好ましい。また、このＬ字型の取付け金具のボルト貫通穴を縦長穴または横長穴にしておくと、壁パネル４内におけるアンカー１３の埋設位置の誤差、および山形鋼２の定規アングル３への取付け時に生じる上下方向の誤差も吸収できるようになり、より好ましい。このボルトの縦長穴は２０〜５０ｍｍが、施工上好ましい。
【００１３】
さらに、図３および図４に示すように、山形鋼２の端部と定規アングル３の端部との連結部１０に補強鋼板１１が溶接固定されていると、連結部１０における溶接が容易になるとともに、溶接部分を長くして連結の強度をアップさせることができる。
また梁１２上のスプライスプレート７と壁パネル４のアンカー１３とはいつも同じ位置関係になることはない。しかし室内側から補強鋼板１１が溶接固定されていることが、山形鋼２と定規アングル３の連結部１０がＡＬＣ壁パネル４のアンカー１３の近傍になっても補強鋼板１１と自重受け部材９と干渉することがなくなる点で望ましい。
【００１４】
次に第２実施形態を、図５〜図７に示す。ここではパネル下部取付け部材５としてＴ字型のパネル下部取付け部材を用いて、梁１２にＡＬＣ壁パネル４が固定されている。
図５〜図７に示すように、山形鋼２と定規アングル３とは、山形鋼２の垂下片２ｂの端部が定規アングル３の起立片３ａの室内側面に重なるように溶接固定されている。
さらにＴ字型のパネル下部取付け部材５の水平板５ｂは山形鋼２の水平片２ａ上に溶接固定されているとともに、上層パネル４ａに当接している垂直板５ａは上層パネル４ａの下部に埋設されたアンカー１３とボルト６とにより係止されている。なお、Ｔ字型のパネル下部取付け部材の垂直片５ｂは、上層パネル４ａに当接させるために段付き構造になっている。
【００１５】
この取付け構造にすると、定規アングル３の起立片３ａと山形鋼２の垂下片２ｂとの溶接が容易になるとともに、図４に示すような補強鋼板１１が無くても十分な連結強度が得られるようになる。なお、この取付構造においてＴ字型のパネル取付け部材５の垂下片５ｃは、定規アングル３の起立片３ａと同一面上に自重受け部材９がおける一実施形態を示す取付けられるようにする役目を果たす。
また、この下部垂下片５ｃを分離して、Ｌ字型の取付け金具と平プレート（図示せず。）とを組み合わせた部材を使用しても良い。
なお、本発明に係る埋設アンカーとは、長ナットを有するアンカーであっても、雌ネジが螺刻されているパイプ状のアンカーであっても良く、また予めパネルに埋設されていても、パネル取付時に埋設されても良い。
【００１６】
【発明の効果】
以上のように本発明によれば、梁上のスプライスプレートによって定規アングルが中断された部分であっても、連結部材が山形鋼であるため、自重受け部材へのＡＬＣ壁パネルの荷重によって撓むことがなくＡＬＣ壁パネルの十分な取付け強度が得られる。さらに、パネル下部取付け部材と、自重受け部材と、板状部材との３つの部材によりＡＬＣパネルが梁に固定されているため、パネルのアンカー位置と前記３つの部材との位置合わせが容易となる。
また、山形鋼は定規アングルを流用できるとともに、建設現場では容易に入手しやすいため、別途に新たな部材を手配することが少なくて済む。
さらにパネルがロッキング可能な取付け構造であるため、建物躯体の層間変形に対するパネルの追従性も有している。
【図面の簡単な説明】
【図１】本発明における一実施形態を示す斜視図。
【図２】図１の断面図。
【図３】本発明における他の実施形態を示す一部破断斜視部。
【図４】図３における上層パネルを除いた平面図。
【図５】本発明におけるさらに他の実施形態を示す斜視図。
【図６】図５の断面図。
【図７】図５における上層パネルを除いた平面図。
【図８】連結部材にフラットプレートを用いた従来例を示す斜視図。
【図９】図８のパネル取付け金具の取付け構造を示す斜視図。
【図１０】従来のＡＬＣパネルのロッキング構造の取付け構造を示す斜視図。
【符号の説明】
１  連結部材
２  山形鋼
２ａ  水平片
２ｂ  垂下片
３  定規アングル
３ａ  起立片
４  ＡＬＣ壁パネル
４ａ  上層壁パネル
４ｂ  下層壁パネル
５  パネル下部取付け部材
５ａ  垂直板
５ｂ  水平板
５ｃ  垂下片
６  係止部材（ボルト）
７  スプライスプレート
８  板状部材
９  自重受け部材
１０  連結部
１１  補強鋼板
１２  梁
１３  アンカー
【図１】
0004011207.tif 000002
【図２】
0004011207.tif 000003
【図３】
0004011207.tif 000004
【図４】
0004011207.tif 000005
【図５】
0004011207.tif 000006
【図６】
0004011207.tif 000007
【図７】
0004011207.tif 000008
【図８】
0004011207.tif 000009
【図９】
0004011207.tif 000010
【図１０】
0004011207.tif 000011